(57)【要約】【課題】情報機器の本体容積を増加することなく、標準化されたハーフハイトのドライブベイに２台のディスク装置を二段組で配設できるようにし、複数の光ディスクを同時にドライブすることが可能となるようにする。【解決手段】情報機器のフロントフェイスに構成したハーフハイトのドライブベイに単体または二段組で配設可能となるようにしたディスク装置Ａであり、前記ディスク装置Ａの筐体１部分の外形を、厚さ１９ｍｍ以上２０．６５ｍｍ以下とし、横幅１４５．５ｍｍ以上１４６．５ｍｍ以下となし、さらにこの筐体１の側面に、情報機器本体へ取り付けるためのネジ穴１ｄを形成する。【選択図】      図４
2004348776.tif 000002
【特許請求の範囲】
【請求項１】
情報機器のフロントフェイスに構成したハーフハイトのドライブベイに単体または二段組で配設可能となるようにしたディスク装置であり、
前記ディスク装置の筐体部分の外形を、厚さ１９ｍｍ以上２０．６５ｍｍ以下とし、横幅１４５．５ｍｍ以上１４６．５ｍｍ以下となし、
さらにこの筐体の側面に、情報機器本体へ取り付けるためのネジ孔を形成したことを特徴とするディスク装置。
【請求項２】
上段となるディスク装置の筐体の底板面と下段となるディスク装置の筐体の天板面を同時に係止する連結部材により一体化し、ハーフハイトのドライブベイに配設可能となるようにしたことを特徴とする請求項１記載のディスク装置。
【請求項３】
ディスクトレイのロード／アンロードのための押釦をベゼルの両側端部に設けたことを特徴とする請求項１記載のディスク装置。
【発明の詳細な説明】
【０００１】
【発明の属する技術分野】
本発明は、各種光ディスクへの情報の記録および／または再生を行うディスク装置の改良に関するものである。
【０００２】
【従来の技術】
一般に、パーソナルコンピュータ（以下、パソコンという）あるいはＤＶＤレコーダのような情報機器は、光ディスクへ情報の記録または光ディスクから情報を再生するため、このディスク装置を欠かすことができず、これら情報機器に内蔵するか、いわゆる外付けとしてケーブルで接続するようにしている。
【０００３】
このような光ディスクで再生専用とされているものは、ＣＤ（ＣｏｍｐａｃｔＤｉｓｃ）、ＣＤ−ＲＯＭ（Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｃ）、ＤＶＤ−ＲＯＭ（ＲｅａｄＯｎｌｙ  Ｍｅｍｏｒｙ）であり、一方、記録（追記）が可能となるものとして、ＣＤ−Ｒ（Ｒｅｃｏｒｄａｂｌｅ）、ＣＤ−ＲＷ（ＲｅＷｒｉｔａｂｌｅ）、ＤＶＤ−Ｒ、ＤＶＤ−ＲＷなどの光ディスクがある。
【０００４】
図９は、このような光ディスクＤをドライブするディスク装置１００をディスクトップ型のパソコン１０１に内蔵したものを示すもので、筐体１０２内にディスクトレイ１０３のロード／アンロードを行う搬送機構が内蔵されているとともに、ディスクトレイ１０３をロードしたとき作動するピックアップベースなどの駆動機構が内蔵されている（例えば、特許文献１）。
【０００５】
前記のようにパソコンに内蔵されたディスク装置は、通常、上記に示した各種の光ディスクに対応可能とする光ピックアップを備えるなどして光ディスクへの情報の記録再生を単体で処理できるようにしている。そして、ディスク装置を内蔵したパソコン以外の情報機器、例えば、ＤＶＤレコーダにおいても同様であり、単体のディスク装置を備え、情報の記録再生を行うようにしている。
【０００６】
前記のように単体のディスク装置を内蔵した情報機器において、ある光ディスクに収録された情報を他の光ディスクに記録しようとする場合は、まず、情報の記録された光ディスクをディスク装置によりドライブして情報機器本体内のハードディスク装置などに一旦記録を保持するようにする。つぎに、ディスク装置に記録用の光ディスクを装填し、前記ハードディスク装置の記録情報を読み出して記録用の光ディスクに情報を書き込むようにしている。このことから明らかなように、光ディスクの記録再生を同時に処理できるようにするには、記録用と再生用の２台のディスク装置を備え、同時に運転することにより光ディスクの交換を要することなく、光ディスクの再生と同時に記録が可能となる。
【０００７】
【特許文献１】
特願２００２−０１５８４４号
【０００８】
【発明が解決しようとする課題】
ところで、特にディスクトップ型のパソコンにおいては、ハーフハイトのドライブベイが、厚さが４１．３ｍｍに標準化されていることにより、ディスク装置の互換性が保たれるようにしている。したがって、上記のような目的から２台のディスク装置を備えるとすることは、ハーフハイトのドライブベイを増設することとなり、ディスク装置の配設に要する容積が二倍となることから、装置全体のスリム化、薄型化に逆行することになる。
【０００９】
本発明は、かかる従来の問題に鑑みなされたもので、情報機器の本体容積を増加することなく、標準化されたハーフハイトのドライブベイに２台のディスク装置を二段組で配設できるようにし、複数の光ディスクを同時にドライブできるようにしたものである。
【００１０】
【課題を解決するための手段】
そこで本発明は、以下に述べる各手段により上記課題を解決するようにした。即ち、請求項１記載の発明では、情報機器のフロントフェイスに構成したハーフハイトのドライブベイに単体または二段組で配設可能となるようにしたディスク装置であり、前記ディスク装置の筐体部分の外形を、厚さ１９ｍｍ以上２０．６５ｍｍ以下とし、横幅１４５．５ｍｍ以上１４６．５ｍｍ以下となし、さらにこの筐体の側面に、情報機器本体へ取り付けるためのネジ孔を形成する。
【００１１】
請求項２記載の発明では、上記請求項１記載の発明において、上段となるディスク装置の筐体の底板面と下段となるディスク装置の筐体の天板面を同時に係止する連結部材により一体化し、ハーフハイトのドライブベイに配設可能となるようにする。
【００１２】
請求項３記載の発明では、上記請求項１記載の発明において、ディスクトレイのロード／アンロードのための押釦をベゼルの両側端部に設ける。
【００１３】
【発明の実施の形態】
以下、本発明の実施の形態を図にもとづいて詳細に説明する。
【００１４】
図１は本発明を実現する構成が施されたディスク装置Ａの平面図であり、正面の状態を図２に示す。同図において符号１はディスク装置Ａの筐体となるシャーシケースであり、ベゼル２と一体化されたディスクトレイ３を収容し、このディスクトレイ３をロード／アンロードの指示にもとづいてシャーシケース１内で前進後退させる搬送機構を内蔵している。
【００１５】
前記シャーシケース１の天板面にはその両側端部に、内部へ貫通するスリット１ａが形成されており、また、後述するようにディスク装置Ａを二段組とした場合における取付ネジの頭部との接触を回避する凹陥部１ｂが形成されている。一方、シャーシケース１の底板面の前記凹陥部１ｂに対応する位置にはネジ孔１ｃが形成されている。
【００１６】
図３は、ディスク装置Ａの単体の側面図であり、パソコンなどの情報機器本体Ｐに構成されているインナーハウジングのネジ通孔に一致する位置にネジ孔１ｄが形成されており、前記インナーハウジングのネジ通孔とシャーシケース１のネジ孔１ｄが同時にネジ止めされ、ディスク装置Ａが情報機器本体Ｐに固定される。このように形成されたシャーシケース１の厚さＨは、ハーフハイトのドライブベイに配設可能となるように１９ｍｍ以上２０．６５ｍｍ以下とし、横幅Ｗを１４５．５ｍｍ以上１４６．５ｍｍ以下となるようにする。
【００１７】
前記ディスクトレイ３の前端面に固定されるベゼル２の両側端部のフロントフェイスに、ディスクトレイ３のロード／アンロードを司る押釦４が配設されており、いずれの押釦４によってもディスクトレイ３のロード／アンロードが可能となるようにしている。また、ディスク装置Ａは、光ディスクを回転可能に支持するターンテーブル、このターンテーブルを回転駆動するスピンドルモータおよび光ディスクに対して情報の読み取り／書き込みを行う光ピックアップ、この光ピックアップを光ディスクの半径方向に移動させる駆動機構などを備えている。
【００１８】
つぎに、上記のように構成されたディスク装置Ａを二段組にして一体化する場合の組立状態を図４にもとづいて説明する。同図に示すように上段となるディスク装置をＡ１とし、下段となるディスク装置をＡ２とする場合、上段のディスク装置Ａ１の底板面と下段のディスク装置Ａ２の天板面が構造的に連結された状態となるようにするため、本実施例では連結部材５を用いるようにした。
【００１９】
前記連結部材５は板状に形成され、その両端部にネジ通孔５ａとアングル片５ｂが形成されている。このように形成された連結部材５は、まず、上段のディスク装置Ａ１の底板面に取付ネジ６により固定され、アングル片５ｂが突出した状態とする。つぎに、前記アングル片５ｂを下段のディスク装置Ａ２のスリット１ａに差し込み、スライドさせることにより、アングル片５ｂで下段のディスク装置Ａ２の天板面を挟持した状態となり、両ディスク装置Ａ１・Ａ２は図５に示すように一体化される。なお、このようにして組み立てられたディスク装置Ａ１・Ａ２の位置ずれを防止するため、その背面でさらに連結部材を固定するなどの手段を施すことにより一体化がより確実なものとなる。
【００２０】
このようにして一体化された各ディスク装置Ａ１・Ａ２の厚さが２０ｍｍであり、連結部材５の厚さが１ｍｍである場合、一体化による全体の厚さが４１ｍｍとなり、丁度、ハーフハイトのドライブベイに適応可能となる。そして、上段または下段のディスク装置のネジ孔１ｄによりパソコン本体Ｂのインナーハウジングに固定することにより図６に示すように配設することが可能となる。
【００２１】
なお、連結部材５は、その幅寸法がディスク装置の幅寸法以下に形成されており、ディスク装置と一体化した際に、ディスク装置の側方に突出しないように構成してある。したがって、単体の場合であっても、また、組合せ状態においても幅寸法が変化しないので、いずれの場合においてもハーフハイトのドライブベイへの配設が可能となり、情報機器Ｐへ問題なく取り付けることができる。そして、このように別個のディスク装置を二段組で一体構成した場合、例えば、上段を再生専用のディスク装置とし、下段を記録専用のデスク装置とするなど、任意に設定することが可能となる。
【００２２】
ところで、上記のようにディスク装置を二段組で構成した場合、両ディスク装置は密接した状態となり、図７に示すように上段のディスク装置Ａ１のディスクトレイ３をアンロードすると、下段のディスク装置Ａ２のベゼル２が隠されてしまう状態となる。一方、図８に示すように下段のディスク装置Ａ２のディスクトレイ３をアンロードした場合は、このディスクトレイ３が上段のディスク装置Ａ１の操作の邪魔となる。
【００２３】
このような問題から本発明では、ディスクトレイ３のロード／アンロードのための押釦をベゼル２の両側に設けるようにした。これにより、一方のディスク装置のディスクトレイがアンロードされている状態においても、他方のディスク装置の使い勝手を低下させないようにすることができる。
【００２４】
なお、ハーフハイトのドライブベイに本発明のディスク装置を単体で配設すると、そのディスク装置の上部または下部に空隙が生じてしまうが、この場合は、その空隙を覆うアタッチメント部材を用意し、これを装着することによりフロントフェイスの体裁を保つことができる。
【００２５】
【発明の効果】
以上、詳細に説明したごとく本発明の請求項１記載の発明によれば、筐体部分の外形を厚さ１９ｍｍ以上２０．６５ｍｍ以下とし、横幅１４５．５ｍｍ以上１４６．５ｍｍ以下となるようにしてディスク装置を構成したことから、ハーフハイトのドライブベイに単体または二段組で配設することが可能となる。
【００２６】
請求項２記載の発明によれば、別個のディスク装置を連結部材により一体化することが可能となることから、再生または記録用のディスク装置を上段または下段とすることを任意に定めることが可能となり、ディスク装置の二段組の構成を融通性の高いものとすることができる。
【００２７】
請求項３記載の発明によれば、ディスクトレイのロード／アンロードのための押釦をベゼルの両側端部に設けたことから、一方のディスク装置のディスクトレイがアンロードされている状態においても、他方のディスク装置の使い勝手を低下させることがない。
【図面の簡単な説明】
【図１】本発明のディスク装置の平面図である。
【図２】本発明のディスク装置の正面図である。
【図３】本発明のディスク装置の側面図である。
【図４】本発明のディスク装置による二段組構成を説明する斜視図である。
【図５】本発明のディスク装置による二段組構成の完成状態の側面図である。
【図６】本発明のディスク装置を情報機器へ組み込んだ状態の斜視図である。
【図７】本発明のディスク装置の使用態様を説明する斜視図である。
【図８】本発明のディスク装置の使用態様を説明する斜視図である。
【図９】従来のディスク装置の情報機器への配設状態を示す斜視図である。
【符号の説明】
Ａ・・・・・・ディスク装置
１・・・・・・シャーシケース
１ａ・・・・・スリット
１ｂ・・・・・凹陥部
１ｃ・・・・・ネジ孔
１ｄ・・・・・ネジ孔
２・・・・・・ベゼル
３・・・・・・ディスクトレイ
４・・・・・・押釦
５・・・・・・連結部材
６・・・・・・取付ネジ
【図１】
2004348776.tif 000003
【図２】
2004348776.tif 000004
【図３】
2004348776.tif 000005
【図４】
2004348776.tif 000006
【図５】
2004348776.tif 000007
【図６】
2004348776.tif 000008
【図７】
2004348776.tif 000009
【図８】
2004348776.tif 000010
【図９】
2004348776.tif 000011